(57)【要約】【課題】横桟木を不要とし、ガイド桟木（縦桟木）の配設のみで葺設でき、葺設工法も簡単で熟練不要とするための屋根瓦とその葺設工法を提供する。【解決手段】桟瓦１の水返し突条８の尻部４側より内方に横方向に尻部突条９を突設し、尻部４側に桟瓦１を上下に貫通する釘孔１０を設け、頭部２側の垂れ部１３より内方の裏面に、他の屋根瓦の尻部突条９と係合可能にされた頭部突条１５を横方向に突設し、釘孔１０直下の尻部４側裏面には、両側に対向する一対の挟持片１６ａを突設したガイド桟木２５に嵌合可能なガイド桟木嵌合凹部１６を形成する。以上のように構成した桟瓦１のガイド桟木嵌合凹部１６をガイド桟木２５に嵌合すると共に釘１０ａを釘孔１０に打ちガイド桟木２５に釘着する。また、尻部突条９に棟側に隣接する桟瓦１の頭部突条を係合させる。このようにして横桟木を配設せずに屋根の勾配方向へガイド桟木２５に沿って、桟瓦１を順次葺設する。【選択図】　　　　図１０
2004143709.tif 000002
【特許請求の範囲】
【請求項１】
屋根瓦の尻部側表面に横方向に突設された尻部突条と、頭部側裏面に横方向に突設され他の屋根瓦の前記尻部突条に係合可能にされた頭部突条と、屋根瓦を上下に貫通する釘孔を有する凸設した釘着台と、該釘着台直下の尻部側裏面に設けられガイド桟木（縦桟木）に嵌合可能にされたガイド桟木嵌合凹部と、尻部側裏面に突設され野地板に支持される安定駒とからなることを特徴とする屋根瓦。
【請求項２】
前記尻部突条に水抜き溝を設けたことを特徴とする請求項１記載の屋根瓦。
【請求項３】
屋根の勾配方向に前記ガイド桟木を複数配設し、請求項１又は請求項２又は請求項３記載の屋根瓦の、ガイド桟木嵌合凹部をガイド桟木に嵌合させると共に頭部突条と尻部突条とを係合させ、且つ釘孔に屋根瓦表面から釘を打ち屋根瓦をガイド桟木に釘着し、隣接する瓦同士を係合させながら、ガイド桟木に沿って順次勾配方向に横桟木無しで葺設するようにしたことを特徴とする屋根瓦の葺設工法。
【発明の詳細な説明】
【０００１】
【発明が属する技術分野】
本発明は、桟木を用いて葺設する屋根瓦とその葺設工法に関するものである。
【０００２】
【従来の技術】
従来は、屋根の横方向に配設した横桟木の上に該屋根の勾配方向に縦桟木を配設した後、尻部側裏面に縦桟木嵌合凹部と係止突起とを形成すると共に尻部側の表面から裏面に貫通した一対の釘孔を形成した屋根瓦の、前記縦桟木嵌合凹部を縦桟木に嵌合し、前記屋根瓦の係止突起を横桟木に係止し、前記一対の釘孔の片方を使用して屋根瓦と縦桟木を釘着し、他方の釘孔を使用して屋根瓦と横桟木を釘着する。このようにして、順次屋根の勾配方向及び横方向に葺設するようにしたものである（例えば、特許文献１。）。
【０００３】
【特許文献１】
特公平５−８１６９７号公報。
【０００４】
【発明が解決しようとする課題】
従って、従来技術では、縦桟木のみならず横桟木までも、屋根瓦の葺設ピッチに正確に合わせた配設が必要であり、葺設に手間がかかり且つ精度よく桟木を配設するためには熟練を要するという問題があった。
【０００５】
本発明は、以上のような従来技術の問題点に鑑みてなされたものであり、横桟木を使わずにガイド桟木（縦桟木）の配設のみで葺設でき、葺設工法も簡単で熟練不要とする屋根瓦とその葺設工法を提供することを目的とするものである。
【０００６】
【課題を解決するための手段】
このため、本発明は、屋根瓦の尻部側表面に横方向に突設された尻部突条と、頭部側裏面に横方向に突設され他の屋根瓦の前記尻部突条に係合可能にされた頭部突条と、屋根瓦を上下に貫通する釘孔を有する凸設した釘着台と、該釘着台直下の尻部側裏面に設けられガイド桟木（縦桟木）に嵌合可能にされたガイド桟木嵌合凹部と、尻部側裏面に突設され野地板に支持される安定駒とからなることを第１の特徴とする。
【０００７】
また、請求項１記載の屋根瓦に於いて、尻部突条に水抜き溝を設けたことを第２の特徴とする。
【０００８】
さらに、屋根の勾配方向に前記ガイド桟木を複数配設し、請求項１又は請求項２又は請求項３記載の屋根瓦の、ガイド桟木嵌合凹部をガイド桟木に嵌合させると共に頭部突条と尻部突条とを係合させ、且つ釘孔に屋根瓦表面から釘を打ち屋根瓦をガイド桟木に釘着し、隣接する瓦同士を係合させながら、ガイド桟木に沿って順次勾配方向に横桟木無しで葺設するようにしたことを第３の特徴とする。
【０００９】
【発明の実施の形態】
以下、本発明の実施の形態を図面に示す実施例に基づいて説明する。
図１は、本発明に係る屋根瓦の一実施例を示す表面側斜視図である。図２はその平面図、図３はその裏面側斜視図、図４はその平面図である。図５及び図６は、他の実施例を示す表面側斜視図である。図７は図６の平面図、図８はその裏面側平面図である。図９は、本発明に係る屋根瓦の葺設状態を示す説明図である。図１０はその要部斜視図、図１１はその勾配方向の要部断面図、図１２はその横方向の要部断面図である。図１３は、本発明に係る屋根瓦の他の実施例の葺設状態を示す説明図である。図１４はその要部斜視図、図１５はその勾配方向の要部断面図、図１６はその横方向の要部断面図である。
【００１０】
【実施例】
図１は、和型の桟瓦についての実施例を示す表面側斜視図である。図２はその平面図、図３はその裏面側斜視図、図４は図３の平面図である。図２において、略四辺形の桟瓦１の下辺近傍が頭部２、左辺近傍が桟部３、上辺近傍が尻部４、右辺近傍が差込部５である。図１、図２に示すように、桟瓦１の表面周縁部には、その対角部分に頭部切欠き部６と尻部切欠き部７とが形成され、頭部切欠部６には、略四辺形の突片６ａが突設されている。差込部５近傍の尻部４側縁には、後述する安定駒１７（図３参照）が嵌合可能な略四辺形状の駒受け凹み部２６が形成されている。また、尻部切欠き部７の側縁と尻部４側の側縁と差込部５側の側縁とに沿って、水返し突条８が連設して突設されている。この水返し突条８の尻部４側より内方には横方向に尻部突条９が突設され、尻部４側の桟部３寄り略中央部には、桟瓦１を上下に貫通する釘孔１０を有する釘着台１１が水返し突条８に連設して凸設されている。さらに、水返し突条８の差込部５より内方には縦方向に差込部突条１２が突設されている。
【００１１】
次に、図３、図４に示すように、桟瓦１の裏面には、桟側の尻部切欠き部７に略四辺形の凹み７ａが形成され、頭部２側縁に沿って垂れ部１３が突設され、桟部３側縁に沿って桟部突条１４が垂れ部１３に連設して突設されている。また、頭部２側の垂れ部１３より内方の裏面には他の屋根瓦の前記尻部突条９に係合可能にされた頭部突条１５が横方向に突設され、前記釘着台１１直下の尻部４側裏面にはガイド桟木に嵌合可能にされたガイド桟木嵌合凹部１６が形成されている。このガイド桟木嵌合凹部１６の両側には、対向する一対の挟持片１６ａが突設されている。さらに、尻部４側の桟部３寄り略中央部の裏面には野地板２３（図１０参照）に支持される安定駒１７が突設されている。以上のように、垂れ部１３の内側に頭部突条１５と尻部突条９の係合部を設けたので、耐風性、耐水性が良好となり緩勾配への葺設に好適である。また、頭部突条１５と他の桟瓦の尻部突条とを係合させて屋根の勾配方向へ葺設できるので、横桟木が不要である。さらに、ガイド桟木の嵌合部を尻部側略中央部に設けたので、桟瓦１の横方向へのズレを防止できガイド桟木への釘着は釘１本ですむ。
【００１２】
図５は、本発明に係る他の実施例を示す表面側斜視図である。尻部突条９に水抜き溝９ｂが設けられ、雨水等が流入した際の排水性を良好にする。このため緩勾配への葺設に好適である。
【００１３】
図６は、平型の桟瓦についての実施例を示す表面側斜視図であり、図６（ａ）は尻部方向から見た斜視図、図６（ｂ）は、頭部方向から見た斜視図の要部拡大図である。図７は図６（ａ）の平面図、図８は図６（ａ）の裏面図である。図７において、略四辺形の桟瓦１８の下辺近傍が頭部２、左辺近傍が桟部３、上辺近傍が尻部４、右辺近傍が差込部５である。図６（ａ）、図７に示すように、尻部４側縁に沿って水返し突条８が突設され、桟部３側縁には平板上の桟部側重合部１９が設けられ、差込部５側縁には桟部側重合部１９と同幅で他の桟瓦の桟部側重合部１９と重合可能な平板状の差込部側重合部２０が設けられている。この桟部側重合部１９と差込部側重合部２０との間には平坦部２７が設けられている。また、尻部４側の表面略中央部には、水返し突条８に連設されて桟瓦１８を上下に貫通する釘孔１０を有する釘着台１１が凸設されている。この水返し突条８と桟部側重合部１９との連設部には桟瓦１８を上下に貫通する釘孔１０が形成されている。差込部側重合部２０と尻部４とには、重合部突起２１と尻部突起２２とが尻部４の側縁及び側縁延長線に対してほぼ平行な位置に突設されている。重合部突起２１の後端面２１ａは、他の桟瓦１８の平坦部２７の前端面略中央部２７ａと係合可能である。尻部突起２２の後端面２２ａは尻部４の端に向かうほど桟瓦１８の表面から離隔する方向に傾斜しており、他の桟瓦１８の重合部２０の前端面２０ａと係合可能である。図６（ｂ）に示すように、重合部２０の前端面２０ａは重合部２０の前端に向かうほど重合部２０の表面から離隔する方向に傾斜している。このため、重合部２０の前端面２０ａを他の桟瓦１８の尻部突起２２の後端面２２ａに係合させたときに重合部２０の前端面２０ａが上空方向へ外れにくくなっており、耐震及び耐風の性能が向上して防災に好適である。また、平坦部２７の前端面略中央部２７ａの下部には、桟瓦１８を千鳥状に葺設する際に他の桟瓦１８の差込部側重合部２０に嵌合可能な凹みが設けられている。
【００１４】
図８に示すように、前記釘着台１１直下の尻部４側裏面にはガイド桟木に嵌合可能にされたガイド桟木嵌合凹部１６が形成され、このガイド桟木嵌合凹部１６の両側には対向する一対の挟持片１６ａが突設されている。また、尻部４側裏面の桟部３側の釘穴１０近傍には野地板２３に支持される安定駒１７が突設されている。
【００１５】
次に、本発明に係る葺設工法の実施例を説明する。
図９は、屋根の上に布設固定された野地板２３の上にルーフィング２４が布設固定され（図１０参照）、さらにその上に屋根の勾配方向に複数のガイド桟木２５を配設された後、図５に示した桟瓦１をガイド桟木２５に嵌合係止且つ釘着させながら、ガイド桟木２５に沿って順次屋根の勾配方向に筋状に葺設していく実施例の説明図である。図１０はその要部斜視図、図１１はその勾配方向の要部断面図、図１２は、その横方向の要部断面図である。
【００１６】
図１０、図１１に示すように、まず、桟瓦１の尻部４側裏面に設けられたガイド桟木嵌合凹部１６をガイド桟木２５に嵌合させると共に安定駒１７をルーフィング２４を介して野地板２３に支持させることにより、桟瓦１をガイド桟木２５に安定に係止した後、桟瓦１の表面からガイド桟木嵌合凹部直上の釘孔１０を通して釘１０ａを打って桟瓦１をガイド桟木２５に釘着させる。
【００１７】
次に、図９、図１１に示すように、葺設状態において、棟側に隣接する桟瓦１ａの垂れ部１３の裏面は軒側桟瓦１の表面に当接され、棟側の桟瓦１ａの頭部突条１５と軒側桟瓦１の尻部突条９とは頭部係合面１５ａと尻部係合面９ａとで係合している。このように、垂れ部１３の内側に頭部突条１５と尻部突条９の係合部を設けたので、耐風性、耐水性が良好となり緩勾配への葺設に好適である。また、頭部突条１５と他の桟瓦の尻部突条とを係合させて屋根の勾配方向へ葺設できるので、横桟木が不要である。
【００１８】
図９、図１２（ａ）に示すように、桟瓦１の右横に隣接する桟瓦１ｂの桟側係合突条１４は、桟瓦１の差込部突条１２の内方に被装される。また、図１２（ｂ）に示すように、桟側係合突条１４は差込部突条１２と係合されても良い。以上のようにして、屋根の勾配方向へガイド桟木２５に沿って順次筋状に葺設する。
【００１９】
また、図１３は、図９と同様な状態に配設されたガイド桟木２５に、図６に示した平型の桟瓦１８をガイド桟木２５又は野地板２３に嵌合係止又は釘着させながら千鳥状に葺設していく実施例の説明図である。図１４はその要部斜視図、図１５はその勾配方向の要部断面図、図１６はその横方向の要部断面図である。図１４、図１５（ａ）に示すように、桟瓦１８の尻部４側裏面に設けられたガイド桟木嵌合凹部１６をガイド桟木２５に嵌合させると共に安定駒１７をルーフィング２４を介して野地板２３に支持させて桟瓦１８をガイド桟木２５に安定に係止した後、桟瓦１８の表面からガイド桟木嵌合凹部直上の釘孔１０を通して釘１０ａを打って桟瓦１８をガイド桟木２５と野地板２３に釘着させると共に、水返し突条８と桟部側重合部１９との連設部に設けられた釘孔１０を通して釘１０ａを打って桟瓦１８を野地板２３に釘着させる。
【００２０】
図１３、図１５（ａ）に示すように、桟瓦１８の尻部突起２２の後端面２２ａと棟側に隣接する桟瓦１８ａの重合部２０の前端面２０ａとが係合しており、それぞれの係合面２２ａと２０ａとは桟瓦１８の棟側に向かうほど桟瓦１８の表面から離隔する方向に傾斜している。このため、桟瓦１８ａの重合部２０が上空方向へ外れにくくなっており、耐震及び耐風の性能が向上して防災に好適である。また、図１３、図１５（ｂ）に示すように、桟瓦１８の重合部係合突起２１の後端面２１ａと棟側に隣接する桟瓦１８ｂの平坦部２７の前端面略中央部２７ａとが係合している。
【００２１】
また、図１３、図１６に示すように、桟瓦１８ｃの桟部側重合部１９は桟瓦１８の差込部側重合部２０の下に差込まれて重合されている。以上のようにして、横桟木を配設せず屋根の勾配方向へガイド桟木２５に沿って順次千鳥状に葺設する。
【００２２】
尚、本発明では、上記した和型の桟瓦の実施例（図９〜図１２参照）のように、桟瓦１のガイド桟木嵌合凹部１６をガイド桟木２５に嵌合させ、桟瓦１の表面から釘孔１０を通して釘１０ａを打って桟瓦１とガイド桟木２５とを釘着させ、桟瓦１の尻部突条９と頭部突条１５を係合させる。このようにして横桟木を必要とせずガイド桟木２５を配設するだけで桟瓦１の葺設が可能であるが、もし横桟木を配設して葺設する際は桟瓦１の裏面に横桟木に係止可能な横桟木用安定駒を突設すると良い。
【００２３】
【発明の効果】
以上説明したように、本発明に係る桟瓦及びその葺設工法は、横桟木の配設を不要とし、ガイド桟木のみの配設により熟練した技術を要することなく簡単に屋根瓦を葺設できるというすぐれた効果を有する。
【図面の簡単な説明】
【図１】図１は、本発明に係る屋根瓦の一実施例を示す表面側斜視図である。
【図２】図２は、図１の平面図である。
【図３】図３は、図１の裏面側斜視図である。
【図４】図４は、図３の平面図である。
【図５】図５は、他の実施例を示す表面側斜視図である。
【図６】図６は、他の実施例を示す表面側斜視図である。
【図７】図７は、図６の平面図である。
【図８】図８は、図７の裏面側平面図である。
【図９】図９は、本発明に係る屋根瓦の葺設状態を示す説明図である。
【図１０】図１０は、図９の要部斜視図である。
【図１１】図１１は、図９の勾配方向の要部断面図である。
【図１２】図１２は、図９の横方向の要部断面図である。
【図１３】図１３は、本発明に係る屋根瓦の他の実施例の葺設状態を示す説明図である。
【図１４】図１４は、図１３の要部斜視図である。
【図１５】図１５は、図１３の勾配方向の要部断面図である。
【図１６】図１６は、図１３の横方向の要部断面図である。
【符号の説明】
１　　和型の桟瓦
１ａ　和型の桟瓦
１ｂ　和方の桟瓦
２　　頭部
３　　桟部
４　　尻部
５　　差込部
６　　頭部切欠き部
６ａ　突片
７　　尻部切欠き部
７ａ　凹み
８　　水返し突条
９　　尻部突条
９ａ　尻部係合面
９ｂ　水抜き溝
１０　　釘孔
１０ａ　釘
１１　　釘着台
１２　　差込部突条
１３　　垂れ部
１４　　桟部突条
１５　　頭部突条
１５ａ　頭部係合面
１６　　ガイド桟木嵌合凹部
１６ａ　挟持片
１７　　安定駒
１８　　平型の桟瓦
１８ａ　平型の桟瓦
１８ｂ　平型の桟瓦
１８ｃ　平型の桟瓦
１９　　桟部側重合部
２０　　差込部側重合部
２１　　重合部突起
２２　　尻部突起
２３　　野地板
２４　　ルーフィング
２５　　ガイド桟木（縦桟木）
２６　　駒受け凹み部
２７　　平坦部
【図１】
2004143709.tif 000003
【図２】
2004143709.tif 000004
【図３】
2004143709.tif 000005
【図４】
2004143709.tif 000006
【図５】
2004143709.tif 000007
【図６】
2004143709.tif 000008
【図７】
2004143709.tif 000009
【図８】
2004143709.tif 000010
【図９】
2004143709.tif 000011
【図１０】
2004143709.tif 000012
【図１１】
2004143709.tif 000013
【図１２】
2004143709.tif 000014
【図１３】
2004143709.tif 000015
【図１４】
2004143709.tif 000016
【図１５】
2004143709.tif 000017
【図１６】
2004143709.tif 000018